(57)【要約】【課題】簡易且つ迅速に装着することができるロールシートホルダを提供する。【解決手段】位置決め部材１２の取付部材１３の下端部には、該取付部材１３の下端部よりも左右方向に各々外側方向に所定長さ突出する正面視略四角形の平板状の案内部５７が形成されている。これにより、ロールシートホルダ３を装着する場合は、取付部材１３の下端部に形成される案内部５７をホルダ支持部材１５の外側端面に当接させつつ、取付部材１３を第１位置決め溝部１６に挿入する。【選択図】図８
2008037660.tif 000002
【特許請求の範囲】
【請求項１】
長尺状のロールシートを搬送するための搬送手段と、該ロールシートに印刷する印刷手段と、前記ロールシートが挿入される挿入口と、前記挿入口の幅方向一側に対向して底面部の一側側端縁部に立設される位置決め支持部材と、前記位置決め支持部材に設けられて上方に開口する正面視略縦長コの字状の位置決め溝部と、を備えたテープ印刷装置に使用され、該ロールシートが巻回された状態で前記テープ印刷装置内で着脱可能に支持されるロールシートホルダにおいて、
前記ロールシートの一方の端面に当接される基準側保持部材と、
前記基準側保持部材の外側面の左右方向略中央部に上下方向縦長に突設されて、このロールシートホルダを前記テープ印刷装置に装着する際に、前記位置決め溝部に嵌入されることにより該ロールシートホルダを前記テープ印刷装置に対して位置決めする位置決めリブ部と、
前記位置決めリブ部の前記基準側保持部材から突出する方向の外側端面の両側端縁部から外側方向に所定長さ延出された案内部と、
を備え、
前記位置決めリブ部を前記位置決め溝部に嵌入する場合に、前記基準側保持部材の外側面と前記案内部の内側面との間に前記位置決め支持部材が挟まれることを特徴とするロールシートホルダ。
【請求項２】
前記テープ印刷装置は、
前記位置決め支持部材の前記ロールシートホルダ側基端部の底面部に形成される
所定深さの凹部と、
前記凹部の底面部に配置されたシート判別センサと、
を有し、
前記基準側保持部材の下端縁部から前記ロールシートの外周面に対向するように所定長さ延出されるシート判別部と、
前記シート判別部に形成されて前記シート判別センサと協働して前記ロールシートの種類を特定するロールシート特定部と、
を備えたことを特徴とする請求項１に記載のロールシートホルダ。
【請求項３】
前記ロールシート特定部は、前記ロールシートの種類に応じて配置される貫通孔を有し、
前記貫通孔は、前記テープ印刷装置に前記ロールシートホルダを装着した場合に、該貫通孔に対向する前記シート判別センサが挿通されることを特徴とする請求項２に記載のロールシートホルダ。
【請求項４】
前記テープ印刷装置に前記ロールシートホルダを装着した場合に、前記シート判別部が前記凹部の底面部に載置されることを特徴とする請求項２又は請求項３に記載のロールシートホルダ。
【請求項５】
前記位置決めリブ部の左右方向中央位置と前記シート判別部の左右方向中央位置とが一致することを特徴とする請求項２乃至請求項４のいずれかに記載のロールシートホルダ。
【請求項６】
前記シート判別部は、前記基準側保持部材の下端縁部の左右方向両端部から所定長さ内側の部分に設けられていることを特徴とする請求項２乃至請求項５のいずれかに記載のロールシートホルダ。
【請求項７】
前記テープ印刷装置に前記ロールシートホルダを装着した場合に、前記位置決めリブ部の下端部が前記位置決め溝部の下端部に当接することを特徴とする請求項１乃至請求項６のいずれかに記載のロールシートホルダ。
【発明の詳細な説明】
【技術分野】
【０００１】
本発明は、筒状の巻芯に巻回されたロールシートが回転可能に取付けられるロールシートホルダであって、該ロールシートを搬送するための搬送手段と、該ロールシートに印刷する印刷手段とを備えたテープ印刷装置内で着脱可能な状態で支持されるロールシートホルダに関するものである。
【背景技術】
【０００２】
従来より、粘着シートに離形紙が張り合わされた長尺状のシートにサーマルヘッドを介して文字等を印刷するテープ印刷装置が種々提案されている。このようなテープ印刷装置では、巻芯に巻回されたロールシートと、この巻芯が回転可能に取付けられるロールシートホルダと、この複数種類のシート幅の各々のロールシートホルダをテープ印刷装置内で着脱可能に支持する支持機構と、このロールシートホルダからロールシートを引き出して搬送するための搬送手段とを備えているものがある。
例えば、このようなロールシートホルダでは、筒状の巻芯に巻回されるロールシートを搬送するための搬送手段を備えたテープ印刷装置に使用され、前記巻芯に巻回されたロールシートが着脱可能に取付けられると共に、前記テープ印刷装置内で回転可能に支持されるロールシートホルダにおいて、前記巻芯の筒孔の一端側から該筒孔に嵌挿される第１支持軸と、該巻芯の筒孔の他端側から該筒孔に嵌挿されると共に、前記第１支持軸の端面部に着脱可能に嵌合される第２支持軸と、前記第１支持軸の外周面にその軸方向に摺動可能に嵌合されてロールシートの端面に当接されるガイド部材とを備え、前記第１支持軸は、該第１支持軸の外側端面の外周部に形成される第１フランジ部と、該第１支持軸の周面の軸心方向に形成される１乃至複数のスライド溝と、該第１支持軸の軸方向に所定間隔離間して各スライド溝から周方向に形成される複数のガイド溝とを有し、前記第２支持軸は、該第２支持軸の外側端面の外周部に形成されてロールシートの端面に当接される第２フランジ部を有し、前記ガイド部材は、該ガイド部材の摺動面に軸心側に突設されて前記スライド溝又はガイド溝に嵌合される１乃至複数の係止片を有し、前記係止片を所定ガイド溝に係合させることによって、前記第２支持軸の第２フランジ部とガイド部材との間にロールシートが装着されるように構成されている（例えば、特許文献１参照。）。
【０００３】
そして、このような構成のロールシートホルダによれば、テープ印刷装置内に回転可能に支持されるロールシートホルダを取り外して、このロールシートホルダに幅寸法の異なるロールシートを取付けて、再度、テープ印刷装置内に当該ロールシートホルダを取り付ける場合に、ロールシートの取り付け作業を容易に、且つ確実に行うことができると共に、該ロールシートホルダの部品紛失を防止することができるため、部品紛失による故障を防止することができ、製品信頼性の向上を図ることができる。
【特許文献１】特開２００１−２７０６６０号公報（段落（００２８）〜（００５２）、図１〜図８）
【発明の開示】
【発明が解決しようとする課題】
【０００４】
しかしながら、上述した従来のロールシートホルダが装着されたテープ印刷装置においては、該ロールシートホルダを回転可能に支持するために、更に２つのユニットホルダを左右両側にそれぞれ装着後、各ユニットホルダの外側に突出する取付部材をテープ印刷装置の底面部に立設される一対のユニット支持部材に嵌め込む必要があり、ロールシートホルダの装着作業が煩雑になるという問題がある。
【０００５】
そこで、本発明は、上述した問題点を解決するためになされたものであり、簡易且つ迅速に装着することができるロールシートホルダを提供することを目的とする。
【課題を解決するための手段】
【０００６】
前記目的を達成するため請求項１に係るロールシートホルダは、長尺状のロールシートを搬送するための搬送手段と、該ロールシートに印刷する印刷手段と、前記ロールシートが挿入される挿入口と、前記挿入口の幅方向一側に対向して底面部の一側側端縁部に立設される位置決め支持部材と、前記位置決め支持部材に設けられて上方に開口する正面視略縦長コの字状の位置決め溝部と、を備えたテープ印刷装置に使用され、該ロールシートが巻回された状態で前記テープ印刷装置内で着脱可能に支持されるロールシートホルダにおいて、前記ロールシートの一方の端面に当接される基準側保持部材と、前記基準側保持部材の外側面の左右方向略中央部に上下方向縦長に突設されて、このロールシートホルダを前記テープ印刷装置に装着する際に、前記位置決め溝部に嵌入されることにより該ロールシートホルダを前記テープ印刷装置に対して位置決めする位置決めリブ部と、前記位置決めリブ部の前記基準側保持部材から突出する方向の外側端面の両側端縁部から外側方向に所定長さ延出された案内部と、を備え、前記位置決めリブ部を前記位置決め溝部に嵌入する場合に、前記基準側保持部材の外側面と前記案内部の内側面との間に前記位置決め支持部材が挟まれることを特徴とする。
【０００７】
また、請求項２に係るロールシートホルダは、請求項１に記載のロールシートホルダにおいて、前記テープ印刷装置は、前記位置決め支持部材の前記ロールシートホルダ側基端部の底面部に形成される所定深さの凹部と、前記凹部の底面部に配置されたシート判別センサと、を有し、前記基準側保持部材の下端縁部から前記ロールシートの外周面に対向するように所定長さ延出されるシート判別部と、前記シート判別部に形成されて前記シート判別センサと協働して前記ロールシートの種類を特定するロールシート特定部と、を備えたことを特徴とする。
【０００８】
また、請求項３に係るロールシートホルダは、請求項２に記載のロールシートホルダにおいて、前記ロールシート特定部は、前記ロールシートの種類に応じて配置される貫通孔を有し、前記貫通孔は、前記テープ印刷装置に前記ロールシートホルダを装着した場合に、該貫通孔に対向する前記シート判別センサが挿通されることを特徴とする。
【０００９】
また、請求項４に係るロールシートホルダは、請求項２又は請求項３に記載のロールシートホルダにおいて、前記テープ印刷装置に前記ロールシートホルダを装着した場合に、前記シート判別部が前記凹部の底面部に載置されることを特徴とする。
【００１０】
また、請求項５に係るロールシートホルダは、請求項２乃至請求項４のいずれかに記載のロールシートホルダにおいて、前記位置決めリブ部の左右方向中央位置と前記シート判別部の左右方向中央位置とが一致することを特徴とする。
【００１１】
また、請求項６に係るロールシートホルダは、請求項２乃至請求項５のいずれかに記載のロールシートホルダにおいて、前記シート判別部は、前記基準側保持部材の下端縁部の左右方向両端部から所定長さ内側の部分に設けられていることを特徴とする。
【００１２】
更に、請求項７に係るロールシートホルダは、請求項１乃至請求項６のいずれかに記載のロールシートホルダにおいて、前記テープ印刷装置に前記ロールシートホルダを装着した場合に、前記位置決めリブ部の下端部が前記位置決め溝部の下端部に当接することを特徴とする。
【発明の効果】
【００１３】
本発明に係るロールシートホルダでは、ロールシートホルダを装着する場合は、案内部を位置決め支持部材の外側端面に当接させつつ、位置決めリブ部を位置決め溝部に嵌入することによって、該位置決めリブ部を位置決め溝部に対して容易に位置決めすることができ、ロールシートホルダの装着を簡易且つ迅速に行うことができると共に、ロールシートホルダのテープ印刷装置に対する位置決めを確実に行うことができる。
【発明を実施するための最良の形態】
【００１４】
以下、本発明に係るロールシートホルダについて、具体化した一実施形態に基づいて図面を参照しつつ詳細に説明する。
【００１５】
先ず、本実施形態に係るテープ印刷装置の概略構成について図１乃至図７に基づき説明する。
図１乃至図３に示すように、テープ印刷装置１は、本体筐体２と、所定幅のロールシート３Ａが巻回されたロールシートホルダ３を収納するロールシートホルダ収納部４の上側を覆うように後側上端縁部に開閉自在に取り付けられた透明樹脂製の上カバー５と、この上カバー５の前側略中央部に対向するように立設される透明樹脂製のトレー６と、このトレー６の前側に配置される電源ボタン７と、前側側面部に左右移動可能に設けられてカッターユニット８（図７参照）を左右に移動させるカッターレバー９等から構成されている。また、本体筐体２の背面部には一方の側端部に電源コード１０が接続されると共に、他方の側端部には不図示のパーソナルコンピュータ等と接続されるＵＳＢ（UniversalSerial Bus）等から構成されるコネクタ部１１（図６参照）が設けられている。また、このロールシート３Ａは、自己発色性を有する長尺状の感熱シート（いわゆる、サーマルペーパー）や、該感熱シートの片面に粘着剤を介して離形紙が張り合わされた長尺状のラベルシート等で構成され、巻芯３Ｂ（図４参照）に巻回されている。
【００１６】
また、図２乃至図６に示すように、テープ印刷装置１は、ロールシートホルダ収納部４の搬送方向に対して略垂直方向の一方の側端縁部（図６中、左側側端縁部）に、後述のロールシートホルダ３を構成する位置決め保持部材１２の外側方向に突設される断面略矩形状の取付部材１３を嵌め込むことができるホルダ支持部材１５が設けられている。このホルダ支持部材１５には、上方に開口する正面視略縦長コの字状の第１位置決め溝部１６が形成されている。また、このホルダ支持部材１５の内側基端部には、位置決め保持部材１２の下端部に突設される弾性係止片１２Ａが係合される係合凹部１５Ａが形成されている。
【００１７】
また、ロールシート３Ａを挿入する挿入口１８の後端縁部からロールシートホルダ収納部４の前側上端縁部まで略水平に延出されて、後述のロールシートホルダ３を構成するガイド部材２０の先端部が載置される載置部２１が設けられている。また、この載置部２１の搬送方向後側の端縁角部には、ロールシート３Ａの複数の幅寸法に対応して断面略Ｌ字状の４個の第２位置決め溝部２２Ａ〜２２Ｄが形成されている。この各第２位置決め溝部２２Ａ〜２２Ｄは、図７に示すように、ロールシートホルダ３を構成するガイド部材２０の載置部２１に当接する部分の一部を上方から嵌め込むことができるように形成されている。また、このロールシートホルダ３を構成するガイド部材２０の先端部は、挿入口１８まで延出されている。
【００１８】
また、ロールシートホルダ収納部４の底面部には、ホルダ支持部材１５の内側基端部から第２位置決め溝部２２Ａに対向する位置まで搬送方向に対して略垂直に平面視横長四角形の位置決め凹部４Ａが所定深さ（本実施形態では、約１．５〜３ｍｍの深さである。）で形成されている。この位置決め凹部４Ａの搬送方向幅寸法は、ロールシートホルダ３を構成する位置決め保持部材１２及びガイド部材２０の各下端縁部の幅寸法にほぼ等しくなるように形成されている。また、位置決め凹部４Ａのホルダ支持部材１５の内側基端部には、位置決め保持部材１２の下端縁部から略直角内側方向に延出される後述のシート判別部６０（図１０参照）に対向する部分が位置決め凹部４Ａよりもさらに所定深さ（本実施形態では、約１．５〜３ｍｍの深さである。）だけ深くなるように形成された判別凹部４Ｂが形成されている。また、この判別凹部４Ｂには、プッシュ式のマイクロスイッチ等から構成されて、ロールシート３Ａの種別を判別するためのシート判別センサＳ１、Ｓ２、Ｓ３、Ｓ４、Ｓ５がＬ字状に設けられている。この各シート判別センサＳ１〜Ｓ５は、プランジャーとマイクロスイッチ等から構成される公知の機械式スイッチからなり、この各シート判別センサＳ１〜Ｓ５に対してシート判別部６０の後述の各センサ孔６０Ａ（図８参照）があるかどうかを検出して、そのオン・オフ信号によりロールシートホルダ３に装着されたロールシート３Ａの種類を検出するものである。尚、本実施形態の場合は、各テープ判別センサＳ１〜Ｓ５は、そのプランジャーが常には、判別凹部４Ｂの底面から突き出しており、マイクロスイッチがオフ状態になっている。そして、シート判別部６０の各センサ孔６０Ａが、各シート判別センサＳ１〜Ｓ５に対向する位置に有る場合には、プランジャーが押下されずマイクロスイッチがオフ状態にあるので、オフ信号が出力され、一方、シート判別部６０の各センサ孔６０Ａが、各シート判別センサＳ１〜Ｓ５に対向する位置に無い場合には、プランジャーが押下されてマイクロスイッチがオン状態になるので、オン信号が出力される。
【００１９】
また、挿入口１８のホルダー支持部材１５側の側端縁部（図６中、左端縁部）は、該ホルダー支持部材１５に嵌め込まれる位置決め部材１２の内側端面に対向する位置に形成されている。また、この挿入口１８のホルダー支持部材１５側の側端縁部には、案内リブ部２３が立設されている。
【００２０】
また、ロールシートホルダ収納部４の他方の側端縁部（図５中、上方側端縁部）の搬送方向前端部には、サーマルヘッド３１（図７参照）の上下動操作等を行うレバー２７が設けられている。即ち、このレバー２７を上方に回動させることにより、サーマルヘッド３１が下方に移動されて、サーマルヘッド３１と対向配置されているプラテンローラ２６（図７参照）から離間し、該レバー２７を下方に回動させることにより、サーマルヘッド３１が上方に移動されてロールシート３Ａをプラテンローラ２６に押圧付勢して印字可能な状態になる。また、ロールシートホルダ収納部４の下側には、外部のパーソナルコンピュータ等からの指令により各機構部を駆動制御する制御回路部が設けられている。
【００２１】
これにより、巻芯３Ｂに巻回されたロールシート３Ａが装着されたロールシートホルダ３は、位置決め部材１２の取付部材１３をホルダ支持部材１５の第１位置決め溝部１６に嵌め込み、該位置決め部材１２の下端部に突設される弾性係止片１２Ａをホルダ支持部材１５の内側基端部に形成される係合凹部１５Ａに係合させると共に、ガイド部材２０の先端部下面を各第２位置決め溝部２２Ａ〜２２Ｄに嵌め込んで該ガイド部材２０の下端部を位置決め凹部４Ａ内に嵌入して当接させることによって、ロールシートホルダ収納部４に着脱自在に取り付けられる。そして、レバー２７を上方に回動させて、ロールシート３Ａの一方の側端縁部をガイド部材２０の内側面に当接させつつ、このロールシート３Ａの他方の側端縁部を挿入口１８の側縁部に立設される案内リブ部２３に当接させながら挿入口１８内に挿入して、該レバー２７を下方に回動させることにより、印刷可能となる。
【００２２】
ここで、図７に示すように、レバー２７を下方に回動させることにより、挿入口１８から挿入されたロールシート３Ａは、ライン型のサーマルヘッド３１によってプラテンローラ２６に向かって押圧されるように付勢される。そして、該プラテンローラ２６を不図示のステッピングモータ等により回転駆動しつつ、該サーマルヘッド３１を駆動制御することによって、ロールシート３Ａを搬送しながら印字面に順次画像データを印字できる。また、トレー６上に排出されたロールシート３Ａは、カットレバー９を右側方向に移動操作することによって、カッターユニット８により切断される。
【００２３】
次に、ロールシートホルダ３の概略構成について図８乃至図１２に基づいて説明する。
図８乃至図１２に示すように、巻芯３Ｂに巻回されたロールシート３Ａが装着されるロールシートホルダ３は、ロールシート３Ａの巻芯３Ｂの筒孔の一端側端縁部に第１筒部３５が嵌挿されてロールシート３Ａの一方の端面に当接されるガイド部材２０と、該巻芯３Ｂの他端側に第２筒部３７が嵌挿されてロールシート３Ａの他方の端面に当接される位置決め保持部材１２と、このガイド部材２０の第１筒部３５に嵌挿されて一端側端面の外周部に形成されるフランジ部３６が該第１筒部３５の外側端面に固着されると共に、他端側端部が位置決め保持部材１２の第２筒部３７に嵌挿されて該第２筒部３７に固着される略筒状のホルダ軸部材４０と、から構成されている。従って、ホルダ軸部材４０の長さ寸法を変更することにより、異なる幅寸法のロールシート３Ａが装着された複数種類のロールシートホルダ３を容易に製作することができる。
【００２４】
また、このガイド部材２０は、第１筒部３５の外側端面の下側外周部から下側方向に延出されて、ロールシートホルダ収納部４の底面部に形成される位置決め凹部４Ａに嵌入されて該位置決め凹部４Ａの底面に当接される第１延出部４２が形成されている。また、ガイド部材２０は、ロールシート３Ａの前側方向略１／４円周上の外側端面部を覆うように外側方向に延出される第２延出部４３が形成されている。また、この第２延出部４３の外周部からロールシート３Ａの挿入口１８（図６参照）近傍まで上側端縁部が前下がり状に延出される第３延出部４４が形成されている。この第３延出部４４の先端部の下端面は略水平に形成され、テープ印刷装置１の載置部２１上に当接して、該第３延出部４４と第２延出部４３の内側面によって装着されたロールシート３Ａの一側端縁部を挿入口１８まで案内するように構成されている。また、この第３延出部４４の下端面の載置部２１の搬送方向後端縁部に対向する位置から第１延出部４２まで所定長さ延出される第４延出部４５が形成され、該第３延出部４４の下端面が載置部２１上に当接された場合には、この第４延出部４５の搬送方向先端部分が、装着されたロールシート３Ａのシート幅に対向する各第２位置決め溝部２２Ａ〜２２Ｄのいずれかに嵌入されるように構成されている（図７参照）。
また、ガイド部材２０の第１延出部４２の上端部、即ち、第１筒部３５の外側端面の外周部の左右両中央部には、正面視略四角形の各切欠部４７が設けられ、ホルダ軸部材４０のフランジ部３６の内側面に突設される各位置決め突起４８が嵌入されている。また、ガイド部材２０の各延出部４３、４４、４５の内側面には、装着されたロールシート３Ａの巻回長さ１０ｍ、２０ｍ、３０ｍを表す各目盛り４３Ａ、４３Ｂ、４３Ｃが形成されている。尚、ロールシートホルダ３に巻回されるロールシート３Ａの最大巻回長さは、約３０ｍの長さである。
【００２５】
また、ホルダ軸部材４０の位置決め保持部材１２の第２筒部３７内に嵌入される先端部には、該第２筒部３７の内側下端部に内側半径方向に突設される位置決めリブ５０が嵌入される略縦長の切欠部５１が形成されている。これにより、ホルダ軸部材４０の切欠部５１に位置決め保持部材１２の位置決めリブ部５０を嵌入することによって、該ホルダ軸部材４０を介して位置決め保持部材１２とガイド部材２０との位置決めを行うことができる。
また、第１筒部３５と第２筒部３７とによって、ロールシート３Ａが巻回された巻芯３Ｂが回転可能に保持される。尚、ホルダ軸部材４０は、巻芯３Ｂの各長さ寸法に対応して複数種類（本実施形態では、４種類である。）の長さ寸法のものが設けられている。
【００２６】
また、位置決め部材１２により、第２筒部３７の外側端面は閉塞されている。また、該第２筒部３７の外周部には、フランジ部５５が形成されると共に、このフランジ部５５の下側外周部から下側方向に延出される延出部５６が形成されている。このフランジ部５５と延出部５６の内側面がロールシート３Ａ及び巻芯３Ｂの外側端面に当接される。また、このフランジ部５５と延出部５６の外側端面部の搬送方向（図１０（Ａ）中、左右方向）略中央部には、上下方向に縦長の断面略矩形状の取付部材１３が突設されている。この取付部材１３は、正面視下方向に幅狭になるように形成され、テープ印刷装置１のホルダ支持部材１５の下方向に幅狭な第１位置決め溝部１６内に密着可能に形成されている。また、この取付部材１３の突出高さ寸法は、この第１位置決め溝部１６の幅寸法にほぼ等しく形成されている。
【００２７】
また、位置決め部材１２の取付部材１３の下端部には、該取付部材１３の下端部よりも左右方向に各々外側方向に所定長さ（本実施形態では、約１．５ｍｍ〜３ｍｍである。）突出する正面視略四角形の平板状（本実施形態では、約１．５ｍｍ〜３ｍｍの厚さ寸法である。）の案内部５７が形成されている。これにより、ロールシートホルダ３を装着する場合は、取付部材１３の下端部に形成される案内部５７をホルダ支持部材１５の外側端面に当接させつつ、取付部材１３を第１位置決め溝部１６に挿入することによって、該ロールシートホルダ３を容易に位置決めしつつ装着することができる。
また、位置決め部材１２の延出部５６の下端縁部は、ガイド部材２０の下端縁部よりも所定長さ（本実施形態では、約１ｍｍ〜２．５ｍｍである。）下側方向に突出するように延出されると共に、該下端縁部には、略直角内側方向に所定長さ延出される略長四角形のシート判別部６０が形成されている。また、上述したように、このシート判別部６０には、各シート判別センサＳ１〜Ｓ５に対向する所定位置に各センサ孔６０Ａが穿設されている。尚、図８（Ｂ）では、５個のセンサ孔６０Ａが穿設されているが、該センサ孔６０Ａは装着されたロールシート３Ａの種類に対応して所定位置に穿設される。
また、位置決め部材１２の取付部材１３の下端部には延出部５６に縦長四角形の貫通孔６２が穿設され、該貫通孔６２の上端縁部には、下側方向に先端部に外側方向に突出する突起部が形成された弾性係止片１２Ａが設けられている。
【００２８】
次に、上記のように構成されたロールシートホルダ３のテープ印刷装置１への装着について図１３に基づいて説明する。
図１３（Ａ）に示すように、巻芯３Ｂに最大幅のロールシート３Ａが巻回されたロールシートホルダ３の場合には、先ず、ロールシートホルダ３の位置決め保持部材１２の取付部材１３をホルダ支持部材１５の位置決め溝部１６に挿入する。そして、該ロールシートホルダ３のガイド部材２０の第３延出部４４の下端面を載置部２１上に当接させると共に、該ガイド部材２０の第４延出部４５を載置部２１の搬送方向後側角部に形成される第２位置決め溝部２１Ａに嵌入させる。また、該ガイド部材２０の第１延出部４２の下端縁部をロールシートホルダ収納部４の底面部に形成される位置決め凹部４Ａ内に嵌入して当接させる。また、同時に、ロールシートホルダ３の位置決め保持部材１２の延出部５６の下端部に形成されるシート判定部６０を、ホルダ支持部材１５の基端部内側に形成される判別凹部４Ｂに挿入すると共に、弾性係止片１２Ａをホルダ支持部材１５の基端部に形成される係合凹部１５Ａに係合させる。これにより、ロールシートホルダ３がロールシートホルダ収納部４に着脱自在に取り付けられる。
続いて、レバー２７を上方に回動させた状態で、ロールシート３Ａの一方の側端縁部をガイド部材２０の内側面に当接させつつ、該ロールシート３Ａを引きだし、このロールシート３Ａの他方の側端縁部を挿入口１８の側端縁部に立設された案内リブ部２３に当接させつつ挿入口１８に挿入する。その後、レバー２７を下方に回動させることにより、該ロールシート３Ａの先端部がサーマルヘッド３１によってプラテンローラ２６に押圧され、印字可能な状態になる。
【００２９】
また、図１３（Ｂ）に示すように、巻芯３Ｂに最小幅のロールシート３Ａが巻回されたロールシートホルダ３の場合には、先ず、ロールシートホルダ３の位置決め保持部材１２の取付部材１３をホルダ支持部材１５の位置決め溝部１６に挿入する。そして、該ロールシートホルダ３のガイド部材２０の第３延出部４４の下端面を載置部２１上に当接させると共に、該ガイド部材２０の第４延出部４５を載置部２１の搬送方向後側角部に形成される第２位置決め溝部２１Ｄに嵌入させる。そして、該ガイド部材２０の第１延出部４２の下端縁部をロールシートホルダ収納部４の底面部に形成される位置決め凹部４Ａ内に嵌入して当接させる。また、同時に、ロールシートホルダ３の位置決め保持部材１２の延出部５６の下端部に形成されるシート判定部６０を、ホルダ支持部材１５の基端部内側に形成される判別凹部４Ｂに挿入すると共に、弾性係止片１２Ａをホルダ支持部材１５の基端部に形成される係合凹部１５Ａに係合させる。これにより、ロールシートホルダ３がロールシートホルダ収納部４に着脱自在に取り付けられる。
続いて、レバー２７を上方に回動させた状態で、ロールシート３Ａの一方の側端縁部をガイド部材２０の内側面に当接させつつ、該ロールシート３Ａを引きだし、このロールシート３Ａの他方の側端縁部を挿入口１８の側端縁部に立設された案内リブ部２３に当接させつつ挿入口１８に挿入する。その後、レバー２７を下方に回動させることにより、該ロールシート３Ａの先端部がサーマルヘッド３１によってプラテンローラ２６に押圧され、印字可能な状態になる。
【００３０】
ここで、プラテンローラ２６は、搬送手段として機能する。また、プラテンローラ２６及びサーマルヘッド３１は、印刷手段を構成する。また、位置決め保持部材１２は、基準側保持部材として機能する。また、取付部材１３は、位置決めリブ部として機能する。また、ホルダ支持部材１５は、位置決め支持部材として機能する。また、各センサ孔６０Ａは、ロールシート特定部、貫通孔として機能する。また、判別凹部４Ｂは、凹部として機能する。
【００３１】
以上詳細に説明した通り、本実施形態に係るテープ印刷装置１では、ロールシートホルダ３のフランジ部５５及び延出部５６の外側端面に突設される取付部材１３が嵌入される第１位置決め溝部１６は、ロールシートホルダ収納部４の一側側端縁部に立設されるホルダ支持部材１５に形成されるため、該ロールシートホルダ収納部４の一側側端縁部を基準にロールシートホルダ３が確実に位置決めされ、複数種類のシート幅の各ロールシート３Ａを正確に位置決めして搬送することができ印字品質の向上を図ることができる。
また、ロールシートホルダ３のロールシート３Ａを該ロールシート３Ａと同心円の円弧状に形成されるロールシートホルダ収納部４に対向させて装着するため、該ロールシートホルダ３の搬送方向の位置決めを容易に行いながら、該ロールシートホルダ３のフランジ部５５及び延出部５６の外側端面に突設される取付部材１３が嵌入される第１位置決め溝部１６に嵌入することができ、ロールシートホルダ３の装着を容易に行うことができる。
【００３２】
また、ロールシートホルダ３のロールシート３Ａは、該ロールシート３Ａと同心円の円弧状に形成されるロールシートホルダ収納部４に対向させて装着されると共に、該ロールシートホルダ３のガイド部材２０の第４延出部４５は、載置部２１の搬送方向後側後端縁部、即ちロールシートホルダ収納部４の挿入口側上端縁部に側断面略Ｌ字状に切り欠かれて形成される各第２位置決め溝部２２Ａ〜２２Ｄに嵌入されるため、該ロールシートホルダ３の装着部分の小型化、即ちテープ印刷装置１の小型化を容易に図ることができる。
また、ロールシートホルダ３のガイド部材２０は、第４延出部４５を載置部２１の後側後端縁部に各第２位置決め溝部２２Ａ〜２２Ｄに嵌入することによって固定することができるため、ロールシートホルダ収納部４にロールシートホルダ３の他端側を支持する支持部材等を設ける必要が無く、テープ印刷装置１の部品点数の削減化及び製造コストの低減化を容易に図ることができる。
【００３３】
また、挿入口１８のホルダ支持部材１５に対向する側端縁部には、該側端縁部に沿って搬送方向所定幅寸法で案内リブ部２３が立設されているため、ロールシート３Ａは、この案内リブ部２３の内側面と、ロールシートホルダ３の第２延出部４３及び第３延出部４４の内側面とによって挿入口１８に案内されるため、該ロールシート３Ａの斜行を確実に防止することができる。また、この案内リブ部２３の後端部からロールシート３Ａの外周面までは覆われていないため、該ロールシート３Ａを挿入口１８に挿入する際に、容易にロールシート３Ａの先端部を持つことができ、ロールシート３Ａの挿入操作を容易に行うことができ、ロールシートホルダ３の装着作業を容易に、且つ迅速に行うことができる。
また、ロールシート３Ａの複数種類の幅寸法に対応して、載置部２１の後側後端縁部の各第４延出部４５に対向する複数箇所に各第２位置決め溝部２２Ａ〜２２Ｄを設けることにより、複数種類の幅寸法のロールシートホルダ３を着脱可能に装着することができるため、特に、テープ印刷装置１のロールシートホルダ収納部４にロールシートホルダ３の他端側を支持する支持部材のロールシート幅方向の移動機構や該支持部材の固定機構などを設ける必要が無く、テープ印刷装置１の部品点数の更なる削減化及び製造コストの大幅な低減化を容易に図ることができる。
【００３４】
また、ロールシートホルダ３の第１延出部４２の下端部は、ロールシートホルダ収納部４の底面部に形成された位置決め凹部４Ａ内に嵌入されて装着されるため、ロールシート３Ａの引き出しによるロールシートホルダ３の回転やガタツキをホルダ支持部材１５と協働して容易に防止することができ、テープ印刷装置１はプラテンローラ２６を介してロールシート３Ａを繰り返し一定長さ分正確に引き込むことができ、印字品質の向上を図ることができる。また、該位置決め凹部４Ａはロールシート幅方向に長い平面視横長四角形に形成されているため、複数種類の幅寸法のロールシートホルダ３の各第１延出部４２の下端部をこの位置決め凹部４Ａ内に確実に挿入することができ、テープ印刷装置１はプラテンローラ２６を介して複数種類の幅寸法のロールシートを繰り返し一定長さ分正確に引き込むことができ、更なる印字品質の向上を図ることができる。
【００３５】
また、ロールシートホルダ３は、位置決め保持部材１２の外側端面部に突設される取付部材１３をテープ印刷装置１の上方に開口する第１位置決め溝部１６に位置合わせして嵌入することによって、該ロールシートホルダ３の第４延出部４５が対向する位置に形成される各第２位置決め溝部２２Ａ〜２２Ｄに嵌入されて、該ロールシートホルダ３がテープ印刷装置１内に着脱可能に支持されるため、テープ印刷装置１への装着を容易に行うことができる。また、複数種類の幅寸法のロールシート３Ａが巻回された各ロールシートホルダ３は、位置決め保持部材１２の外側端面部に突設される取付部材１３をテープ印刷装置１の上方に開口する第１位置決め溝部１６に位置合わせして嵌入することによって、ガイド部材２０の第４延出部４５が対向する位置に形成される各第２位置決め溝部２２Ａ〜２２Ｄのいずれかに嵌入されて、該ロールシートホルダ３がテープ印刷装置１内に着脱可能に支持されるため、複数種類のロールシート幅のロールシートホルダ３の取り替え装着を容易且つ迅速に行うことができる。
また、ガイド部材２０の第２延出部４３及び第３延出部４４は、巻芯３Ｂに巻回されたロールシート３Ａの端面に当接されると共に、テープ印刷装置１のロールシート３Ａの挿入口１８近傍まで延出されているため、ロールシート３Ａの一側他縁を第２延出部４３及び第３延出部４４によって巻回部分から挿入口１８まで案内でき、該ロールシート３Ａの装着を容易に行うことができると共に、ロールシート３Ａのガイド部材２０側外方向への斜行を防止することができる。
【００３６】
また、複数種類の幅寸法のロールシート３Ａに対して、ホルダ軸部材４０の長さだけを変更することにより、ガイド部材２０と位置決め保持部材１２とは同一形状のものを使用して複数種類のロールシートホルダ３を構成することができるため、ロールシートホルダ３の部品点数の削減化を図ることができ、製造コストの削減化を図ることができる。
また、位置決め保持部材１２の取付部材１３は、位置決め保持部材１２の外側端面と、該取付部材１３の外側端面部の両側端縁部から外側方向に所定長さ延出される案内部５７の内側面とによって、第１位置決め溝部１６の内側端面部と外側端面部を挟持しつつ該第１位置決め溝部１６に嵌入されるため、ロールシートホルダ３のロールシート幅方向の位置決めを確実に行うことができると共に、ガイド部材２０の第４延出部４５を対向する位置に形成される第２位置決め溝部２２Ａ〜２２Ｄのいずれかに確実に嵌入させることができる。
また、位置決め保持部材１２の案内部５７の内側面を第１位置決め溝部１６の外側端面部に当接させることによって、取付部材１３を第１位置決め溝部１６に対して容易に位置決めすることができ、ロールシートホルダ３の装着を更に簡易且つ迅速に行うことができる。
【００３７】
また、位置決め保持部材１２の延出部５６の下端縁部が、巻芯３Ｂに巻回されたロールシート３Ａの最大外径の下端部に対向し、該下端縁部からロールシート３Ａの外周面に対向するように所定長さ延出されるシート判別部６０が設けられているため、該ロールシート３Ａの弾性復元力によってロールシート３Ａの巻回が少し緩んだ場合には、最外周面の下端部がシート判別部６０に当接して押さえられ、該ロールシート３Ａのばらけを確実に防止することができる。
更に、ガイド部材２０の第２延出部４３の内側面には、複数の同心円上にそれぞれロールシート３Ａの巻き長さを表す各目盛り４３Ａ〜４３Ｃが設けられているため、該ロールシート３Ａの残量を容易に認識することができる。また、テープ印字装置１の上カバー５が透明な樹脂製のため、この各目盛り４３Ａ〜４３Ｃを確認することによって印字中のロールシート３Ａの残量を容易に認識することができ、ロールシートホルダ３の取り換えをタイミングよく行うことが可能となる。
【００３８】
尚、本発明は前記実施形態に限定されることはなく、本発明の要旨を逸脱しない範囲内で種々の改良、変形が可能であることは勿論である。
【図面の簡単な説明】
【００３９】
【図１】本実施形態に係るテープ印刷装置の概略斜視図である。
【図２】本実施形態に係るテープ印刷装置に最大ロールシート幅のロールシートホルダが装着された状態を上カバーを取り外して示す斜視図である。
【図３】本実施形態に係るテープ印刷装置に最大ロールシート幅のロールシートホルダが装着された状態を上カバーを取り外して示す側面図である。
【図４】図３のＸ−Ｘ矢視断面図である。
【図５】本実施形態に係るテープ印刷装置の上カバーを開けた状態の概略斜視図である。
【図６】本実施形態に係るテープ印刷装置の上カバーを取り外した状態の概略後方斜視図である。
【図７】本実施形態に係るテープ印刷装置にロールシートホルダが装着された状態を上カバーを取り外して示す側断面図である。
【図８】本実施形態に係るテープ印刷装置のロールシートが装着されたロールシートホルダを示す図で、（Ａ）は前側上方からの斜視図、（Ｂ）は下側後方からの斜視図である。
【図９】本実施形態に係るテープ印刷装置のロールシートホルダを示す斜視図で、（Ａ）は斜め後方側からの斜視図、（Ｂ）は斜め前方側からの斜視図である。
【図１０】本実施形態に係るテープ印刷装置のロールシートホルダを示す図で、（Ａ）は左側面図、（Ｂ）は正面図、（Ｃ）は右側面図である。
【図１１】図１０（Ａ）のＹ−Ｙ矢視断面図である。
【図１２】図１０（Ａ）のＺ−Ｚ矢視断面図である。
【図１３】本実施形態に係るテープ印刷装置にロールシートホルダを装着した状態を示す図で、（Ａ）は最大幅のロールシートを装着した状態を示す斜視図、（Ｂ）は最小幅のロールシートを装着した状態を示す斜視図である。
【符号の説明】
【００４０】
１  テープ印刷装置、  ２  本体筐体、  ３  ロールシートホルダ
３Ａ  ロールシート、  ４  ロールシートホルダ収納部、  ４Ａ  位置決め凹部
５  上カバー、  １２  位置決め保持部材、  １２Ａ  弾性係止片
１３  取付部材、  １５  ホルダ支持部材、  １５Ａ  係合凹部
１６  第１位置決め溝部、  １８  挿入口、  ２０  ガイド部材
２１  載置部、  ２２Ａ〜２２Ｄ  第２位置決め溝部、  ２３  案内リブ部
２６  プラテンローラ、  ３１  サーマルヘッド、  ４０  ホルダ軸部材
４２  第１延出部、  ４３  第２延出部、  ４３Ａ〜４３Ｃ  目盛り
４４  第３延出部、  ４５  第４延出部、  ６０  シート判別部
【図１】
2008037660.tif 000003
【図２】
2008037660.tif 000004
【図３】
2008037660.tif 000005
【図４】
2008037660.tif 000006
【図５】
2008037660.tif 000007
【図６】
2008037660.tif 000008
【図７】
2008037660.tif 000009
【図８】
2008037660.tif 000010
【図９】
2008037660.tif 000011
【図１０】
2008037660.tif 000012
【図１１】
2008037660.tif 000013
【図１２】
2008037660.tif 000014
【図１３】
2008037660.tif 000015